【手続補正書】
【提出日】令和2年10月28日(2020.10.28)
【手続補正１】
【補正対象書類名】特許請求の範囲
【補正対象項目名】全文
【補正方法】変更
【補正の内容】
【特許請求の範囲】
【請求項１】
複合芯体装置であって、
管状部と円錐部とを有し、前記管状部が当該管状部の長軸に沿う穴を有し、前記管状部と前記円錐部とが、それぞれ、作動流体に対して不浸透性である少なくとも１つの材料で形成される芯体ホルダと、
第１のポア密度を有する第１の多孔質材料であって、第１の面と、対向する第２の面とをさらに有する、前記第１の多孔質材料と、
前記第１の多孔質材料と流体連通した第２の多孔質材料であって、該第２の多孔質材料は、前記第１の多孔質材料の前記第１の面の面積と略同じ面積を有する第１の面を有し、該第２の多孔質材料の前記第１の面は、前記第１の多孔質材料の前記第１の面に概ね接触しており、該第２の多孔質材料は、前記第１のポア密度とは異質の第２のポア密度を有する、前記第２の多孔質材料と、
を備え、
前記第１の多孔質材料及び前記第２の多孔質材料は、前記作動流体から蒸気を流体ベース粒子カウンタに供給するように構成され、前記第１の多孔質材料と前記第２の多孔質材料とは、前記芯体ホルダの少なくとも管状部内に配置されるように構成される、装置。
【請求項２】
前記第２の多孔質材料は、前記第１の多孔質材料と同心である、請求項１に記載の装置。
【請求項３】
前記第１の多孔質材料の前記対向する第２の面は、前記芯体ホルダの内側部分に概ね接触している、請求項１に記載の装置。
【請求項４】
前記円錐部の長手軸は、前記管状部の長手軸に沿って配置される、請求項１に記載の装置。
【請求項５】
少なくとも前記第２の多孔質材料によって前記作動流体の凝縮した液滴を吸収することを可能とするために、少なくとも前記第２の多孔質材料は、前記円錐部内に部分的に延出している、請求項１に記載の装置。
【請求項６】
前記円錐部は、内面上に前記作動流体が滴を形成することを防ぐために、前記円錐部の前記内面上に表面テクスチャを有する、請求項１に記載の装置。
【請求項７】
前記円錐部は、前記管状部からの熱バリアを提供する断熱材料である、請求項１に記載の装置。
【請求項８】
前記第１の多孔質材料は、焼結プラスチック材料であり、前記第２の多孔質材料は、ナイロン膜である、請求項１に記載の装置。
【請求項９】
前記第１の多孔質材料及び前記第２の多孔質材料のうちの少なくとも一方は、親水性材料である、請求項１に記載の装置。
【請求項１０】
前記第１の多孔質材料及び前記第２の多孔質材料のうちの少なくとも一方は、疎水性材料である、請求項１に記載の装置。
【請求項１１】
前記第１の多孔質材料及び前記第２の多孔質材料のうちの少なくとも一方は、焼結金属と多孔質セラミックとを含む諸材料から選択された少なくとも１つの材料である、請求項１に記載の装置。
【請求項１２】
複合芯体装置であって、
第１の面と対向する第２の面とを有する第１の多孔質材料層と、
前記第１の多孔質材料層と流体連通した第２の多孔質材料層であって、該第２の多孔質材料層は、前記第１の多孔質材料層の前記第１の面の面積と略同じ面積を有する第１の面を有し、該第２の多孔質材料層の前記第１の面は、前記第１の多孔質材料層の前記第１の面に概ね接触しているとともに、前記第１の多孔質材料層の内側において同心に形成されている、第２の多孔質材料層と、を備え、
前記第１の多孔質材料層及び前記第２の多孔質材料層は、作動流体から蒸気を流体ベース粒子カウンタに供給するためのものであり、前記第１の多孔質材料層と前記第２の多孔質材料層は、芯体ホルダの少なくとも管状部内に配置されるように構成されており、前記管状部は、当該管状部の長軸に沿う穴を有するとともに前記作動流体に対して不浸透性である少なくとも１つの材料で形成される、装置。
【請求項１３】
前記第１の多孔質材料層は、第１のポア密度を有し、前記第２の多孔質材料層は、第２のポア密度を有する、請求項１２に記載の装置。
【請求項１４】
前記第１の多孔質材料層は、第１のポア密度及びポアサイズ分布を有し、前記第２の多孔質材料層は、第２のポア密度及びポアサイズ分布を有し、前記第１のポア密度及びポアサイズ分布は、前記第２のポア密度及びポアサイズ分布とは異なる、請求項１２に記載の装置。
【請求項１５】
前記第１の多孔質材料層と前記第２の多孔質材料層のうち、少なくとも一方は、厚さが略均一である、請求項１２に記載の装置。
【請求項１６】
前記第１の多孔質材料層と前記第２の多孔質材料層のうち、少なくとも一方は、厚さがばらついている、請求項１２に記載の装置。
【請求項１７】
前記第１の多孔質材料層及び前記第２の多孔質材料層のそれぞれは、異なる材料である、請求項１２に記載の装置。
【請求項１８】
前記第１の多孔質材料層及び前記第２の多孔質材料層のそれぞれは、同じ材料である、請求項１２に記載の装置。
【請求項１９】
前記第１の多孔質材料層と前記第２の多孔質材料層のうち、少なくとも一方は、ばらつきのあるポア密度を有する、請求項１２に記載の装置。
【請求項２０】
前記第１の多孔質材料層と前記第２の多孔質材料層のうち、少なくとも一方は、ばらつきのあるポアサイズ分布を有する、請求項１２に記載の装置。
【請求項２１】
互いに流体連通するとともに互いに同心に形成された複数の多孔質材料層を備える芯体装置であって、前記複数の多孔質材料層は、作動流体から蒸気を流体ベース粒子カウンタに供給するためのものであり、前記複数の多孔質材料層のうち、少なくとも１つは、前記複数の多孔質材料層のうちの残余の多孔質材料層の少なくともいくつかにおける中央値ポア特性寸法よりも大きい中央値ポア特性寸法を有し、前記複数の多孔質材料層は、芯体ホルダの少なくとも管状部内に配置されるように構成されており、前記管状部は、当該管状部の長軸に沿う穴を有するとともに前記作動流体に対して不浸透性である少なくとも１つの材料で形成される、芯体装置。
【請求項２２】
前記複数の多孔質材料層のうち、少なくとも１つにおけるポアサイズは、約１ミクロン未満の特性寸法を有する、請求項２１に記載の芯体装置。
【請求項２３】
前記複数の多孔質材料層のうち、少なくとも１つにおけるポアサイズは、約１ミクロン超の特性寸法を有する、請求項２１に記載の芯体装置。
【請求項２４】
前記複数の多孔質材料層のうち、少なくとも１つは、界面活性剤材料を含む、請求項２１に記載の芯体装置。
【請求項２５】
前記複数の多孔質材料層のそれぞれは、同種の材料である、請求項２１に記載の芯体装置。
【請求項２６】
前記複数の多孔質材料層のうちの少なくともいくつかは、前記複数の多孔質材料層のうちの残余の多孔質材料層とは異種の材料である、請求項２１に記載の芯体装置。
【請求項２７】
前記複数の多孔質材料層のそれぞれは、繊維材料若しくは繊維性材料、織布材料、不織布材料、スポンジ状材料、ファブリック、及びガラス繊維を含む諸材料から選択された少なくとも１つの材料から選択される、請求項２１に記載の芯体装置。
【請求項２８】
複合芯体装置であって、
焼結材料からなるとともに第１のポア密度を有する第１の多孔質材料を備え、前記第１の多孔質材料は、第１の表面と対向する第２の表面とをさらに有し、
前記第１の多孔質材料と流体連通するナイロン膜からなるとともに前記第１の多孔質材料の第１の表面の面積と略同じ面積を有する第１の表面を有する第２の多孔質材料を備え、前記第２の多孔質材料の第１の表面は、前記第１の多孔質材料の第１の表面と概ね接触し、前記第２の多孔質材料は、前記第１のポア密度とは異種の第２のポア密度を有し、前記第１の多孔質材料及び前記第２の多孔質材料は、液体から蒸気を流体ベース粒子カウンタに供給するように構成される、複合芯体装置。